(57)【要約】【課題】印刷層の形成に使用されるインクの量を少なくできる歯ブラシを提供する。【解決手段】歯ブラシ１は透明材料によって形成された透明部１０Ａを含むグリップ１０と、透明部１０Ａの表面に印刷される印刷層６０とを備える。印刷層６０は中間層７０、中間層７０の一方の表面である第１中間面７１に設けられる第１層８０、および、中間層７０の他方の表面である第２中間面７２に設けられる第２層９０を含む。第１層７０から露出する第１中間面７１の露出部７１Ａおよび第１層８０の表面８１は印刷層６０の一方の表面である第１印刷面６１を構成する、第２層９０から露出する第２中間面７２の露出部７２Ａおよび第２層９０の表面９１は印刷層６０の他方の表面である第２印刷面６２を構成する。【選択図】図５
2020000710.tif 000002
【特許請求の範囲】
【請求項１】
透明材料によって形成された透明部を含むグリップと、
前記透明部の表面に印刷される印刷層とを備える歯ブラシであって、
前記印刷層は中間層、前記中間層の一方の表面である第１中間面に設けられる第１層、および、前記中間層の他方の表面である第２中間面に設けられる第２層を含み、
前記第１層から露出する前記第１中間面の露出部および前記第１層の表面は前記印刷層の一方の表面である第１印刷面を構成し、
前記第２層から露出する前記第２中間面の露出部および前記第２層の表面は前記印刷層の他方の表面である第２印刷面を構成する
歯ブラシ。
【請求項２】
前記印刷層は１つの絵柄を構成する絵柄部を含み、
前記中間層の輪郭は前記絵柄部の輪郭を構成する
請求項１に記載の歯ブラシ。
【請求項３】
前記グリップの正面から視認される前記絵柄部の着色パターンと前記グリップの背面から視認される前記絵柄部の着色パターンとが異なる
請求項２に記載の歯ブラシ。
【請求項４】
前記第１層の色と前記第２層の色とが同じである
請求項１〜３のいずれか一項に記載の歯ブラシ。
【請求項５】
前記絵柄部の前記第１印刷面を構成する前記第１中間面の露出部の輪郭と前記絵柄部の前記第２印刷面を構成する前記第２層の輪郭とが同じである
請求項２を引用する請求項３または４に記載の歯ブラシ。
【請求項６】
前記絵柄部の前記第１印刷面を構成する前記第１層の輪郭と前記絵柄部の前記第２印刷面を構成する前記２中間面の露出部の輪郭とが同じである
請求項２を引用する請求項３〜５のいずれか一項に記載の歯ブラシ。
【請求項７】
前記グリップの正面および背面の一方から視認される前記絵柄部の面積に対する前記第１中間面の露出部の面積の割合は２０％以上である
請求項２を引用する請求項３〜６のいずれか一項に記載の歯ブラシ。
【請求項８】
前記グリップの正面および背面の他方から視認される前記絵柄部の面積に対する前記第２層の面積の割合は２０％以上である
請求項７に記載の歯ブラシ。
【請求項９】
前記グリップの正面および背面の一方から視認される前記絵柄部の面積に対する前記第１中間面の露出部の面積の割合と、前記グリップの正面および背面の他方から視認される前記絵柄部の面積に対する前記第２層の面積の割合との和が１００％〜１５０％の範囲に含まれる
請求項２を引用する請求項３〜８のいずれか一項に記載の歯ブラシ。
【請求項１０】
前記グリップの正面および背面の一方から視認される前記絵柄部の面積に対する前記第１中間面の露出部の面積の割合と、前記グリップの正面および背面の他方から視認される前記絵柄部の面積に対する前記第２層の面積の割合との和が１００％〜１２０％の範囲に含まれる
請求項９に記載の歯ブラシ。
【発明の詳細な説明】
【技術分野】
【０００１】
本発明は印刷層を備える歯ブラシに関する。
【背景技術】
【０００２】
グリップに印刷層が設けられる歯ブラシが知られている。例えば、特許文献１は透明の柄の背面に設けられる印刷部(１００)を備える歯ブラシ(１０)を開示している。印刷部(１００)は第１層、第２層、および、第３層を含む。第１層、第２層、および、第３層は互いに同じ形状である。第１層は任意の色のインクで構成され、柄の背面に設けられる。第２層は第１層を遮蔽するように第１層に重ねて形成される。第３層は第１層と同じ色のインクで構成され、第２層に重ねて形成される。歯ブラシ(１０)は正面から第１層によって構成される模様を視認でき、背面から第３層によって構成される模様を視認できる。
【先行技術文献】
【特許文献】
【０００３】
【特許文献１】特許第５９７８４５０号
【発明の概要】
【発明が解決しようとする課題】
【０００４】
歯ブラシの製造コストの点から、印刷層の形成に使用されるインクの量が少ないことが好ましい。特許文献１ではこの点について特に言及していない。
【課題を解決するための手段】
【０００５】
(１)本発明に関する歯ブラシは透明材料によって形成された透明部を含むグリップと、前記透明部の表面に印刷される印刷層とを備える歯ブラシであって、前記印刷層は中間層、前記中間層の一方の表面である第１中間面に設けられる第１層、および、前記中間層の他方の表面である第２中間面に設けられる第２層を含み、前記第１層から露出する前記第１中間面の露出部および前記第１層の表面は前記印刷層の一方の表面である第１印刷面を構成し、前記第２層から露出する前記第２中間面の露出部および前記第２層の表面は前記印刷層の他方の表面である第２印刷面を構成する。
上記歯ブラシでは、グリップの正面および背面の一方から第１印刷面を視認でき、正面および背面の他方から第２印刷面を視認できる。中間層が第１印刷面および第２印刷面に表示されるデザインの一部を構成するため、印刷層の形成に使用されるインクの量を少なくできる。
【０００６】
(２)好ましい例では(１)に記載の歯ブラシにおいて、前記印刷層は１つの絵柄を構成する絵柄部を含み、前記中間層の輪郭は前記絵柄部の輪郭を構成する。
このため、第１印刷面および第２印刷面に表示されるデザインを際立たせることができる。
【０００７】
(３)好ましい例では(２)に記載の歯ブラシにおいて、前記グリップの正面から視認される前記絵柄部の着色パターンと前記グリップの背面から視認される前記絵柄部の着色パターンとが異なる。
このため、歯ブラシのデザイン性が向上する。
【０００８】
(４)好ましい例では(１)〜(３)のいずれか一項に記載の歯ブラシにおいて、前記第１層の色と前記第２層の色とが同じである。
このため、印刷層の形成に使用されるインクの種類を少なくできる。
【０００９】
(５)好ましい例では(２)を引用する(３)または(４)に記載の歯ブラシにおいて、前記絵柄部の前記第１印刷面を構成する前記第１中間面の露出部の輪郭と前記絵柄部の前記第２印刷面を構成する前記第２層の輪郭とが同じである。
このため、第２印刷面に表示されるデザインを一層際立たせることができる。
【００１０】
(６)好ましい例では(２)を引用する(３)〜(５)のいずれか一項に記載の歯ブラシにおいて、前記絵柄部の前記第１印刷面を構成する前記第１層の輪郭と前記絵柄部の前記第２印刷面を構成する前記２中間面の露出部の輪郭とが同じである。
このため、第１印刷面に表示されるデザインを一層際立たせることができる。
【００１１】
(７)好ましい例では(２)を引用する(３)〜(６)のいずれか一項に記載の歯ブラシにおいて、前記グリップの正面および背面の一方から視認される前記絵柄部の面積に対する前記第１中間面の露出部の面積の割合は２０％以上である。
このため、第１印刷面が表示するデザインにおいて中間層の色を強調できる。
【００１２】
(８)好ましい例では(７)に記載の歯ブラシにおいて、前記グリップの正面および背面の他方から視認される前記絵柄部の面積に対する前記第２層の面積の割合は２０％以上である。
このため、第２印刷面が表示するデザインにおいて第２層の色を強調できる。
【００１３】
(９)好ましい例では(２)を引用する(３)〜(８)のいずれか一項に記載の歯ブラシにおいて、前記グリップの正面および背面の一方から視認される前記絵柄部の面積に対する前記第１中間面の露出部の面積の割合と、前記グリップの正面および背面の他方から視認される前記絵柄部の面積に対する前記第２層の面積の割合との和が１００％〜１５０％の範囲に含まれる。
絵柄層の面積に関する割合が上記範囲に含まれる場合、歯ブラシのデザイン性が高められる。
【００１４】
(１０)好ましい例では(９)に記載の歯ブラシにおいて、前記グリップの正面および背面の一方から視認される前記絵柄部の面積に対する前記第１中間面の露出部の面積の割合と、前記グリップの正面および背面の他方から視認される前記絵柄部の面積に対する前記第２層の面積の割合との和が１００％〜１２０％の範囲に含まれる。
絵柄層の面積に関する割合が上記範囲に含まれる場合、歯ブラシのデザイン性が一層高められる。
【発明の効果】
【００１５】
本発明に関する歯ブラシによれば、印刷層の形成に使用されるインクの量を少なくできる。
【図面の簡単な説明】
【００１６】
【図１】実施形態の歯ブラシの背面図。
【図２】図１の歯ブラシの正面図。
【図３】図１の歯ブラシの絵柄部の拡大図。
【図４】図２の歯ブラシの絵柄部の拡大図。
【図５】図３のＤ５−Ｄ５線に沿う断面図。
【図６】第１層が印刷された状態の絵柄部の断面図。
【図７】第１層および中間層が印刷された状態の絵柄部の断面図。
【発明を実施するための形態】
【００１７】
図１および図２に示される歯ブラシ１は印刷層６０の形成に使用されるインクの量を少なくできるように構成された歯ブラシの一例である。歯ブラシ１を構成する主な要素は本体１０およびブラシ５０である。ブラシ５０は多数のフィラメント束１００の集合体である。
【００１８】
本体１０は透明材料によって形成された透明部１０Ａを含む。好ましい例では、透明部１０Ａは軽量である透明材料によって形成される。軽量である透明材料の一例はポリエチレンテレフタレート(ＰＥＴ)系樹脂などのポリエステル系樹脂、メタクリルスチレン(ＭＳ)樹脂、アクリロニトリルブタジエンスチレン共重合体(ＡＢＳ)系樹脂、アクリロニトリルスチレン共重合体(ＡＳ)系樹脂、ポリプロピレン(ＰＰ)樹脂、メタクリル樹脂などのスチレン系樹脂、および、ポリカーボネート系樹脂である。インクの付着性の点からＰＥＴ樹脂が最も好ましい。なお、ＰＰ樹脂を使用する場合には、成形後の樹脂表面を印刷する前にフロスト加工することが好ましい。本体１０における透明部１０Ａが形成される範囲は任意に選択できる。図１等に示される第１例では、透明部１０Ａは本体１０の全体に形成される。第２例では、透明部１０Ａは本体１０のうちの一部に形成される。本体１０は例えば射出成形により製造される。
【００１９】
本体１０の全体的な形状は手で握ることに適した細長い棒のような形状である。以下の説明では、歯ブラシ１の正面視(図２参照)において歯ブラシ１の長手方向と直交する断面におけるフィラメント束１００と平行な方向を歯ブラシ１の厚さ方向と称し、厚さ方向と直交する断面上の方向を幅方向と称する。また、以下に示される歯ブラシ１の各部分の断面は歯ブラシ１の厚さ方向に沿う断面である。
【００２０】
本体１０はグリップ２０、ネック３０、および、ヘッド４０に区分される。グリップ２０はブラッシング時に手で握るための部分である。ネック３０はヘッド４０とグリップ２０との間に形成された細い部分である。ネック３０の断面形状の一例は扁平形状、円柱形状、または、多角柱形状である。ヘッド４０には歯をブラッシングするための複数のフィラメント１００Ａからなるフィラメント束１００が植えられている。フィラメント１００Ａは歯からプラーク等を除去することに適した材質および形状を備えている。各フィラメント１００Ａを構成する材料の一例はナイロンおよびアラミド等のポリアミド樹脂、ポリブチレンテレフタレート、ポリプロピレンテレフタレート、ポリトリメチレンテレフタレート、ポリエチレンテレフタレート等のポリエステル樹脂、ならびに、ポリプロピレンやポリエチレン等のポリオレフィン樹脂である。各フィラメント１００Ａの毛先の形状は任意に選択できる。その一例はフラット、ラウンド、テーパード、先端極細加工、球状先端加工、または、先端分岐加工である。フィラメント束１００により構成されるブラシ５０の形状の一例は直線、山折り型、凹型、凸型、傾斜型、および、ワンタフト型である。
【００２１】
透明部１０Ａを含むグリップ２０の表面は歯ブラシ１に対する視点に応じて正面２０Ａ、背面２０Ｂ、および、各側面２０Ｃに区分できる。正面２０Ａは歯ブラシ１の正面視(図２参照)に表れるグリップ２０の表面である。背面２０Ｂは歯ブラシ１の背面視(図１参照)に表れるグリップ２０の表面である。各側面２０Ｃは歯ブラシ１の各側面視に表れるグリップ２０の表面である。なお、正面２０Ａおよび各側面２０Ｃはグリップ２０の形状により一部に重複した部分を含むことがある。また、背面２０Ｂおよび各側面２０Ｃも同様である。図１等に例示された歯ブラシ１では、正面２０Ａおよび各側面２０Ｃ、ならびに、背面２０Ｂおよび各側面２０Ｃがそれぞれ一部に重複した部分を含む。正面２０Ａおよび背面２０Ｂは平坦面、または、実質的に平坦面であるとみなせる程度に十分に曲率が小さい曲面である。各側面２０Ｃは正面２０Ａおよび背面２０Ｂよりも曲率が大きい曲面である。
【００２２】
透明部１０Ａの表面には、歯ブラシ１のデザイン性を向上させるための印刷層６０が設けられる。図１等に示される例では、印刷層６０はグリップ２０の背面２０Ｂに印刷される。別の例では、印刷層６０はグリップ２０の正面２０Ａに印刷される。
【００２３】
図３および図４に示されるように、印刷層６０は１つの絵柄を構成する絵柄部６０Ａを含む。印刷層６０に含まれる絵柄部６０Ａの数は１または複数である。図３等では図面の簡略化のため、印刷層６０に１つの絵柄部６０Ａが設けられる場合を示している。絵柄部６０Ａが表示するデザインの一例は動物、植物、キャラクター、および、任意の模様である。図３等に示される例では、絵柄部６０Ａが表示するデザインは鯉である。グリップ２０の正面２０Ａから視認される絵柄部６０Ａの着色パターンとグリップ２０の背面２０Ｂから視認される絵柄部６０Ａの着色パターンとは異なる。
【００２４】
図５は印刷層６０のうちの絵柄部６０Ａを含む部分の断面図である。印刷層６０は中間層７０、中間層７０の一方の表面である第１中間面７１に設けられる第１層８０、および、中間層７０の他方の表面である第２中間面７２に設けられる第２層９０を含む。中間層７０の輪郭７０Ａは絵柄部６０Ａの輪郭６０ＡＸを構成する。
【００２５】
第１層８０から露出する第１中間面７１の露出部７１Ａ、および、第１層８０の表面８１は印刷層６０の一方の表面である第１印刷面６１を構成する。第１印刷面６１は歯ブラシ１の正面視において視認されるデザインを表示する。
【００２６】
第２層９０から露出する第２中間面７２の露出部７２Ａ、および、第２層９０の表面９１は印刷層６０の他方の表面である第２印刷面６２を構成する。第２印刷面６２は歯ブラシ１の背面視において視認されるデザインを表示する。
【００２７】
中間層７０、第１層８０、および、第２層９０は任意の色のインクによって構成される。中間層７０、第１層８０、および、第２層９０を構成するインクは例えば、ＵＶ（Ultra Violet）硬化インクである。好ましくは、中間層７０は遮蔽性を有する１または複数の色のインクによって構成される。一例では、中間層７０を構成するインクの色は白である。第１層８０および第２層９０は歯ブラシ１のデザイン性が向上するような印象を与える１または複数の色のインクによって構成される。一例では、第１層８０および第２層９０を構成するインクの色は中間層７０を構成するインクの色以外の色である。好ましい例では、第１層８０を構成するインクの色の種類と第２層９０を構成するインクの色の種類とが同じである。
【００２８】
絵柄部６０Ａの第１印刷面６１を構成する第１中間面７１の露出部７１Ａの輪郭７１ＡＸと絵柄部６０Ａの第２印刷面６２を構成する第２層９０の輪郭９０Ａとの関係は任意に選択できる。図５等に示される例では、輪郭７１ＡＸと輪郭９０Ａとは同じである。
【００２９】
絵柄部６０Ａの第１印刷面６１を構成する第１層８０の輪郭８０Ａと絵柄部６０Ａの第２印刷面６２を構成する第２中間面７２の露出部７２Ａの輪郭７２ＡＸとの関係は任意に選択できる。図５等に示される例では、輪郭８０Ａと輪郭７２ＡＸとは同じである。
【００３０】
図３に示される絵柄部６０Ａのドットが施されている部分は第２層９０の表面９１である。図３に示される絵柄部６０Ａのうちのドットが施されていない部分、すなわち、白抜きの部分は第２中間面７２の露出部７２Ａである。図４に示される絵柄部６０Ａのドットが施されている部分は第１層８０の表面８１である。図４に示される絵柄部６０Ａのうちのドットが施されていない部分、すなわち、白抜きの部分は第１中間面７１の露出部７１Ａである。グリップ２０の正面２０Ａから視認される絵柄部６０Ａの輪郭６０ＡＸ(図４参照)とグリップ２０の背面２０Ｂから視認される絵柄部６０Ａの輪郭６０ＡＸ(図３参照)とは、グリップ２０の中心軸２０Ｘに対して線対称である。
【００３１】
グリップ２０の正面２０Ａから視認される絵柄部６０Ａの面積に対する第１中間面７１の露出部７１Ａの面積の割合(以下「第１割合」という)は任意に選択できる。好ましい例では、第１割合は２０％以上である。
【００３２】
グリップ２０の背面２０Ｂから視認される絵柄部６０Ａの面積に対する第２層９０の表面９１の面積の割合(以下「第２割合」という)は任意に選択できる。好ましい例では、第２割合は２０％以上である。
【００３３】
第１割合と第２割合との和(以下「合計割合」という)は任意に選択できる。好ましい例では、合計割合は１００％〜１５０％の範囲に含まれる。合計割合が１００％〜１５０％の範囲に含まれる場合、歯ブラシ１のデザイン性が高められる。より好ましい例では、合計割合は１００％〜１２０％の範囲に含まれる。合計割合が１００％〜１２０％の範囲に含まれる場合、歯ブラシ１のデザイン性が一層高められる。好ましい例では、合計割合は１５０％である。さらに好ましい例では、合計割合は１００％である。
【００３４】
図６および図７を参照して、歯ブラシ１の製造方法の一例について説明する。
歯ブラシ１の製造においては、本体１０にブラシ５０が設けられた歯ブラシ(以下「中間歯ブラシ」という)が製造され、中間歯ブラシのグリップ２０の透明部１０Ａにインクジェットプリンタによって印刷層６０が印刷される。歯ブラシ１の製造に用いられるインクジェットプリンタは例えば、株式会社ミマキエンジニアリング社製のＵＪＦ−３０４２ＭｋＩＩである。
【００３５】
中間歯ブラシに印刷層６０を印刷する工程においては、グリップ２０の背面２０Ｂがインクジェットプリンタのインクの噴射口と対向するように中間歯ブラシがインクジェットプリンタにセットされる。インクジェットプリンタの噴射口から第１層８０を構成するインクが背面２０Ｂに噴射され、図５に示されるように、第１層８０が印刷される。次に、インクジェットプリンタの噴射口から中間層７０を構成するインクが第１層８０および背面２０Ｂに噴射され、図６に示されるように中間層７０が印刷される。最後に、インクジェットプリンタの噴射口から第２層９０を構成するインクが中間層７０に噴射され、第２層９０が印刷される。
【００３６】
歯ブラシ１によれば次の効果が得られる。
グリップ２０の正面２０Ａおよび背面２０Ｂの一方から第１印刷面６１を視認でき、他方から第２印刷面６２を視認できる。中間層７０が第１印刷面６１および第２印刷面６２に表示されるデザインの一部を構成するため、印刷層６０の形成に使用されるインクの量を少なくできる。
【００３７】
上記実施形態は本発明に関する歯ブラシが取り得る形態の例示であり、その形態を制限することを意図していない。本発明に関する歯ブラシは実施形態に例示された形態とは異なる形態を取り得る。その一例は、実施形態の構成の一部を置換、変更、もしくは、省略した形態、または、実施形態に新たな構成を付加した形態である。
【符号の説明】
【００３８】
１      ：歯ブラシ
１０Ａ  ：透明部
２０    ：グリップ
２０Ａ  ：正面
２０Ｂ  ：背面
６０    ：印刷層
６０Ａ  ：絵柄部
６０ＡＸ：輪郭
６１    ：第１印刷面
６２    ：第２印刷面
７０    ：中間層
７１    ：第１中間面
７１Ａ  ：露出部
７２    ：第２中間面
７２Ａ  ：露出部
７２ＡＸ：輪郭
８０    ：第１層
８０Ａ  ：輪郭
８１    ：表面
９０    ：第２層
９０Ａ  ：輪郭
９１    ：表面
【図１】
2020000710.tif 000003
【図２】
2020000710.tif 000004
【図３】
2020000710.tif 000005
【図４】
2020000710.tif 000006
【図５】
2020000710.tif 000007
【図６】
2020000710.tif 000008
【図７】
2020000710.tif 000009
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
透明材料によって形成された透明部を含むグリップと、
前記透明部の表面に印刷される印刷層とを備える歯ブラシであって、
前記印刷層は中間層、前記中間層の一方の表面である第１中間面の一部に設けられる第１層、および、前記中間層の他方の表面である第２中間面の一部に設けられる第２層を含み、
前記第１中間面のうちの前記第１層が設けられていない部分である露出部、および、前記第１層の表面は前記印刷層の一方の表面である第１印刷面を構成し、
前記第２中間面のうちの前記第２層が設けられていない部分である露出部、および、前記第２層の表面は前記印刷層の他方の表面である第２印刷面を構成する
歯ブラシ。
【請求項２】
前記印刷層は１つの絵柄を構成する絵柄部を含み、
前記中間層の輪郭は前記絵柄部の輪郭を構成する
請求項１に記載の歯ブラシ。
【請求項３】
前記グリップの正面から視認される前記絵柄部の着色パターンと前記グリップの背面から視認される前記絵柄部の着色パターンとが異なる
請求項２に記載の歯ブラシ。
【請求項４】
前記第１層の色と前記第２層の色とが同じである
請求項１〜３のいずれか一項に記載の歯ブラシ。
【請求項５】
前記絵柄部の前記第１印刷面を構成する前記第１中間面の露出部の輪郭と前記絵柄部の前記第２印刷面を構成する前記第２層の輪郭とが同じである
請求項２を引用する請求項３または４に記載の歯ブラシ。
【請求項６】
前記絵柄部の前記第１印刷面を構成する前記第１層の輪郭と前記絵柄部の前記第２印刷面を構成する前記２中間面の露出部の輪郭とが同じである
請求項２を引用する請求項３〜５のいずれか一項に記載の歯ブラシ。
【請求項７】
前記グリップの正面および背面の一方から視認される前記絵柄部の面積に対する前記第１中間面の露出部の面積の割合は２０％以上である
請求項２を引用する請求項３〜６のいずれか一項に記載の歯ブラシ。
【請求項８】
前記グリップの正面および背面の他方から視認される前記絵柄部の面積に対する前記第２層の面積の割合は２０％以上である
請求項７に記載の歯ブラシ。
【請求項９】
前記グリップの正面および背面の一方から視認される前記絵柄部の面積に対する前記第１中間面の露出部の面積の割合と、前記グリップの正面および背面の他方から視認される前記絵柄部の面積に対する前記第２層の面積の割合との和が１００％〜１５０％の範囲に含まれる
請求項２を引用する請求項３〜８のいずれか一項に記載の歯ブラシ。
【請求項１０】
前記グリップの正面および背面の一方から視認される前記絵柄部の面積に対する前記第１中間面の露出部の面積の割合と、前記グリップの正面および背面の他方から視認される前記絵柄部の面積に対する前記第２層の面積の割合との和が１００％〜１２０％の範囲に含まれる
請求項９に記載の歯ブラシ。